(57)【特許請求の範囲】
【請求項１】
特定の操作部材と、
特定の撮影条件の設定値をそれぞれ異なる設定方法で設定するための、少なくとも第１の設定モードと第２の設定モードと第３の設定モードを含む３以上の複数の設定モードの中から、前記特定の操作部材とは異なる選択用操作部材が操作されることに応じて任意の設定モードを選択する選択手段と、
前記選択手段によって選択された設定モードが前記第２の設定モード以外の前記第１の設定モードまたは前記第３の設定モードである際に、前記特定の操作部材が操作されると、現在の設定モードを前記第１の設定モードまたは前記第３の設定モードから前記第２の設定モードに変更するとともに、前記特定の撮影条件の設定値を、前記特定の操作部材の操作量に応じて変更するように制御し、
現在の設定モードが、前記特定の操作部材の操作によって前記第１の設定モードまたは前記第３の設定モードから変更された前記第２の設定モードである場合に、前記選択用操作部材が一度操作されたことに応じて、前記第１の設定モードまたは前記第３の設定モードのうち、該第２の設定モードに変更される前の設定モードに変更するように制御する制御手段と
を有することを特徴とする撮像装置。
【請求項２】
前記選択手段は、現在の設定モードが、前記特定の操作部材の操作によって前記第２の設定モード以外の他の設定モードから変更された前記第２の設定モードでない場合には、前記選択用操作部材に対する操作に応じて、前記３以上の複数の設定モードにそれぞれ対応する表示アイテムを一覧表示し、該一覧表示された表示アイテムの中からユーザに選択された表示アイテムに対応する設定モードに設定することを特徴とする請求項１に記載の撮像装置。
【請求項３】
現在の設定モードが前記第１の設定モードまたは前記第３の設定モードである際に前記特定の操作部材が操作されると、該操作が行われる前の設定モードを示す情報を記憶媒体に記録するように制御する記録制御手段を更に有し、
前記制御手段は、現在の設定モードが、前記特定の操作部材の操作によって前記第１の設定モードまたは前記第３の設定モードから変更された前記第２の設定モードである場合に、前記選択用操作部材が一度操作されたことに応じて、前記記憶媒体に記録された前記情報に基づいて、前記第１の設定モードまたは前記第３の設定モードのうち、前記第２の設定モードに変更される前の設定モードに変更するように制御することを特徴とする請求項１または２に記載の撮像装置。
【請求項４】
前記特定の操作部材の操作によって前記第１の設定モードまたは前記第３の設定モードから前記第２の設定モードに変更されたことに応じて、前記選択用操作部材を操作することによって、該第２の設定モードに変更される前の設定モードに変更することが可能であることを表すガイダンスを表示手段に表示するように制御する表示制御手段を更に有することを特徴とする請求項１乃至３の何れか１項に記載の撮像装置。
【請求項５】
前記第１の設定モード及び前記第３の設定モードは、前記特定の撮影条件の設定値を前記制御手段が設定する自動設定モードであり、前記第２の設定モードは前記特定の撮影条件の設定値をユーザが手動で設定する手動設定モードであることを特徴とする請求項１乃至４の何れか１項に記載の撮像装置。
【請求項６】
撮影準備指示を受け付ける受付手段と、
前記受付手段で撮影準備指示を受け付けた際に、現在の設定モードが前記第１の設定モードまたは前記第３の設定モードである場合には前記特定の撮影条件の設定値を自動的に設定し、現在の設定モードが前記第２の設定モードである場合には前記特定の撮影条件の設定値を変更しないように制御する撮影準備手段と
を更に有することを特徴とする請求項５に記載の撮像装置。
【請求項７】
撮影準備指示を受け付ける受付手段と、
前記受付手段で撮影準備指示を受け付けた際に、現在の設定モードが前記第１の設定モードまたは前記第３の設定モードである場合には前記特定の撮影条件の設定値を自動的に設定し、現在の設定モードが前記第２の設定モードである場合には前記特定の撮影条件の設定値をユーザによって手動で設定された設定値に基づいて設定するように制御する撮影準備手段と
を更に有することを特徴とする請求項５に記載の撮像装置。
【請求項８】
前記特定の撮影条件はフォーカスに関する撮影条件であり、前記第１の設定モード及び前記第３の設定モードはオートフォーカスを行う設定モードであり、前記第２の設定モードは、マニュアルフォーカスを行う設定モードであることを特徴とする請求項１乃至７の何れか１項に記載の撮像装置。
【請求項９】
前記特定の撮影条件はホワイトバランスに関する撮影条件とISO感度に関する撮影条件の少なくとも一方であることを特徴とする請求項１乃至８の何れか１項に記載の撮像装置。
【請求項１０】
前記特定の操作部材は、レンズ鏡筒周りで回転する操作が可能な操作部材であることを特徴とする請求項１乃至９の何れか１項に記載の撮像装置。
【請求項１１】
特定の操作部材と、特定の撮影条件の設定値をそれぞれ異なる設定方法で設定するための、少なくとも第１の設定モードと第２の設定モードと第３の設定モードを含む３以上の複数の設定モードの中から、前記特定の操作部材とは異なる選択用操作部材が操作されることに応じて任意の設定モードを選択する選択工程と、
前記選択工程において選択された設定モードが前記第２の設定モード以外の前記第１の設定モードまたは前記第３の設定モードである際に、前記特定の操作部材が操作されると、現在の設定モードを前記第１の設定モードまたは前記第３の設定モードから前記第２の設定モードに変更するとともに、前記特定の撮影条件の設定値を、前記特定の操作部材の操作量に応じて変更するように制御し、
現在の設定モードが、前記特定の操作部材の操作によって前記第１の設定モードまたは前記第３の設定モードから変更された前記第２の設定モードである場合に、前記選択用操作部材が一度操作されたことに応じて、前記第１の設定モードまたは前記第３の設定モードのうち、該第２の設定モードに変更される前の設定モードに変更するように制御する制御工程と
を有することを特徴とする撮像装置の制御方法。
【請求項１２】
コンピュータを、請求項１乃至１０の何れか１項に記載された撮像装置の各手段として機能させるプログラム。
【請求項１３】
コンピュータを、請求項１乃至１０の何れか１項に記載された撮像装置の各手段として機能させるプログラムを格納したコンピュータが読み取り可能な記憶媒体。
【発明の詳細な説明】
【技術分野】
【０００１】
本発明は撮像装置及び撮像装置の制御方法に関し、特に、撮像されている画像を確認しながら撮像に係る撮影条件の設定を行うために用いて好適な技術に関する。
【背景技術】
【０００２】
近年、デジタルカメラユーザのニーズは多様化し、様々な撮影方法が求められている。この要望に応えるために機能が増加しているが、デジタルカメラ本体の小型化に伴い、操作部材は減少している。このため、少ない操作部材で多くの機能を実現できるようにするために、操作手番が増えており、簡単に所望の撮影条件の設定画面を呼び出し、設定を行うことが難しくなっている。
【０００３】
一例として、マニュアルフォーカス設定がある。コンパクトデジタルカメラにおいては、マクロ領域オートフォーカス・通常領域オートフォーカスなどのオートフォーカスの領域設定とマニュアルフォーカスを同一項目として選択する場合が多い。これは、限られた操作部材でフォーカス設定を行うためである。
【０００４】
このため、マニュアルフォーカス調整を即座に行うことが難しかった。例えば、特許文献１では、所定の操作部材をオートフォーカス設定時は、通常領域・マクロ領域の切り替えに使用し、マニュアルフォーカス設定時は、ワンプッシュマクロＡＦボタンに使用する方法が提案されている。
【先行技術文献】
【特許文献】
【０００５】
【特許文献１】特開２００９−２５５０７号公報
【発明の概要】
【発明が解決しようとする課題】
【０００６】
しかしながら、特許文献１では、マニュアルフォーカス設定時に花等の近接撮影を行うときの簡易ＡＦ調整としての利便性はあるものの、マニュアルフォーカスとオートフォーカスの設定を簡便に切り替えられない問題点があった。
本発明は前述の問題点に鑑み、特定の撮影条件の設定方法に関する設定モードを簡便に切り替えられ、かつその撮影条件の設定値の調整をすばやく行うことを可能とすることを目的とする。
【課題を解決するための手段】
【０００７】
本発明の撮像装置は、特定の操作部材と、特定の撮影条件の設定値をそれぞれ異なる設定方法で設定するための、少なくとも第１の設定モードと第２の設定モードと第３の設定モードを含む３以上の複数の設定モードの中から、前記特定の操作部材とは異なる選択用操作部材が操作されることに応じて任意の設定モードを選択する選択手段と、前記選択手段によって選択された設定モードが前記第２の設定モード以外の前記第１の設定モードまたは前記第３の設定モードである際に、前記特定の操作部材が操作されると、現在の設定モードを前記第１の設定モードまたは前記第３の設定モードから前記第２の設定モードに変更するとともに、前記特定の撮影条件の設定値を、前記特定の操作部材の操作量に応じて変更するように制御し、現在の設定モードが、前記特定の操作部材の操作によって前記第１の設定モードまたは前記第３の設定モードから変更された前記第２の設定モードである場合に、前記選択用操作部材が一度操作されたことに応じて、前記第１の設定モードまたは前記第３の設定モードのうち、該第２の設定モードに変更される前の設定モードに変更するように制御する制御手段とを有することを特徴とする。
【発明の効果】
【０００８】
本発明によれば、通常用いる選択用操作部材を操作することなく、即座に第１の設定モードまたは第３の設定モードから第２の設定モードに変更して前記特定の撮影条件を変更できる。また、第２の設定モードに変更した後、複数の候補がある元の設定モードをユーザが指定することなく元の設定モードに戻すことができて、調整操作が簡単なユーザーインターフェースを提供することができる。
【図面の簡単な説明】
【０００９】
【図１】撮像装置の一例としてのデジタルカメラの外観を示す図である。
【図２】デジタルカメラの構成例を示すブロック図である。
【図３】デジタルカメラの全体的な動作を説明するフローチャートである。
【図４】デジタルカメラの静止画記録モードの動作を説明するフローチャートである。
【図５】デジタルカメラのフォーカス設定処理を説明するフローチャートである。
【図６】デジタルカメラのリング機能切り替え処理を説明するフローチャートである。
【図７】フォーカス設定処理及びリング機能切り替え処理の設定画面表示例を説明する図である。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
図１は、本実施形態のデジタルカメラ１００の外観を示す図であり、図１（ａ）は、デジタルカメラ１００の背面外観図、図１（ｂ）は前面斜視図である。図１（ａ）において、２８は表示部であり、画像や各種情報を表示する。７２は電源スイッチであり、電源オン、電源オフを切り替える。６１はシャッターボタンである。６０はモード切替スイッチであり、デジタルカメラ１００における各種モードを切り替える。より具体的には、静止画記録モード、動画記録モード、再生モード等のモードの切り替えが可能である。１１１は接続ケーブルであり、デジタルカメラ１００と外部機器を接続する。１１２はコネクタであり、接続ケーブル１１１とデジタルカメラ１００とを接続する。
【００１２】
７０は操作部であり、ユーザからの各種操作を受け付ける。操作部７０は図示の各種ボタンや、表示部２８の画面上に設けられたタッチパネル等の操作部材を有する。操作部７０の各種ボタンとは、具体的に例示すると、消去ボタン、メニューボタン、ＳＥＴボタン、ディスプレイボタン、ズーム操作部、十字に配置された４方向ボタン（上ボタン、下ボタン、右ボタン、左ボタン）等である。また、コントローラホイール７３は回転操作部材であり、操作部７０に含まれる。２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
また、図１（ｂ）はデジタルカメラ１００の前面斜視図である。コントローラーリング７４はレンズ鏡筒周りに特定の操作部材として設けられた回転操作部材であり、操作部７０に含まれる。
【００１３】
図２は、本実施形態によるデジタルカメラ１００の構成例を示すブロック図である。
図２において、１０３はフォーカスレンズを含む撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換するために用いられる。１０２はバリアであり、デジタルカメラ１００の、撮影レンズ１０３を含む撮像部を覆うことにより、撮影レンズ１０３、シャッター１０１、撮像部２２を含む撮像系の汚れや破損を防止する。
【００１４】
２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
５０はシステム制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００１９】
モード切替スイッチ６０、第１シャッタースイッチ６２、第２シャッタースイッチ６４、操作部７０はシステム制御部５０に各種の動作指示を入力するための操作手段である。
モード切替スイッチ６０は、システム制御部５０の動作モードを静止画記録モード、動画記録モード、再生モード等のいずれかに切り替える。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００２２】
また、ＡＦ／ＭＦ切り替えボタンが押されると、ＡＦ領域の設定とＭＦ設定の切り替えメニュー画面が表示部２８に表示される。ＡＦ／ＭＦ切り替えボタンは、フォーカス設定モードを切り替えるための操作ボタンで、本実施形態では、操作部７０に含まれる左ボタンに割り当てられるものとする。
【００２３】
フォーカス設定モードには、以下の３つがあり、この３つのうちのいずれかに設定可能である。
第１はマクロモードである。マクロモードは、近距離（マクロ領域）にオートフォーカスする場合に選択するモードである。オートフォーカスで設定可能なフォーカス位置が近距離（マクロ領域）に制限される。オートフォーカスモード（ＡＦモード）のうちの一つである。
第２は通常モードである。通常モードは、スナップ撮影等、通常の被写体距離（通常領域）で撮影するときに選択するモードである。オートフォーカスで設定可能なフォーカス位置が近距離を除く位置（通常領域）に制限される。オートフォーカスモード（ＡＦモード）のうちの一つである。
第３はマニュアルフォーカスモード（ＭＦモード）である。マニュアルフォーカスモード（ＭＦモード）は、手動でフォーカス位置の調整が可能なモードである。なお、この３つに限られるものではなく、フォーカスレンズの性能に応じて、遠景モード（ＡＦモードのうちの一つで、オートフォーカスで設定可能なフォーカス位置が遠距離に制限される）等があってもよい。電源スイッチ７２は、電源オン、電源オフを切り替える。
【００２４】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２５】
コントローラーリング７４は、操作部７０に含まれる回転操作部材であり、レンズ鏡筒周りで、光軸を中心として回転する操作が可能な操作部材である。コントローラーリング７４は、レンズ鏡筒を機械的に直接操作するものではなく、電気的な信号を発生する操作部材である。例えば、コントローラーリング７４を操作すると、回転量（操作量）に応じた電気的なパルス信号が発生する。
【００２６】
システム制御部５０は、このパルス信号に基づいてデジタルカメラ１００の各部を制御する。なお、操作部７０に含まれるコントローラーリング７４の機能切り替えボタンが押されると、コントローラーリング７４に割り当てる機能を変更可能なメニュー画面が表示部２８に表示される。コントローラーリング７４及びコントローラホイール７３は、通常モード項目の選択や値の変更に用いられる。マニュアルフォーカスモードの際は、フォーカス位置の調整指示を行うための操作部材である。コントローラーリング７４の機能切り替えボタンは、本実施形態では、操作部７０に含まれる４方向ボタン周辺や鏡筒周辺に割り当てられる。
【００２７】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、半導体メモリや磁気ディスク等から構成される。
【００２９】
［デジタルカメラの全体動作について］
図３は、本実施形態のデジタルカメラ１００の全体的な動作を説明するフローチャートである。図３のフローチャートにおける各処理は、システム制御部５０が不揮発性メモリ５６等に格納されたプログラムをシステムメモリ５２に展開して実行することにより実現される。
【００３０】
電源スイッチ７２が操作され電源部３０がオンに切り替わると、ステップＳ３０１において、フラグや制御変数等を初期化する。続いて、ステップＳ３０２において、記録媒体２００に記録されているファイルに関する管理処理を開始する。
【００３１】
次に、ステップＳ３０３、Ｓ３０５、Ｓ３０７において、モード切替スイッチ６０の設定位置を判断する。この判断の結果、静止画記録モードに設定されていたならば処理はステップＳ３０３からステップＳ３０４へ進み、静止画記録モード処理を実行する。ステップＳ３０４の静止画記録モード処理の詳細は図４を用いて後述する。
【００３２】
モード切替スイッチ６０が動画記録モードに設定されていたならば、処理はステップＳ３０３、Ｓ３０５を経てステップＳ３０６へ進み、動画記録モード処理を実行する。また、モード切替スイッチ６０が再生モードに設定されていた場合、処理はステップＳ３０３、Ｓ３０５、Ｓ３０７を経てステップＳ３０８へ進み、再生モード処理を実行する。
【００３３】
また、その他のモードに設定されていた場合、処理はステップＳ３０３、Ｓ３０５、Ｓ３０７を経てステップＳ３０９へ進み、選択されたモードに応じた処理を実行する。
【００３４】
ステップＳ３０４、Ｓ３０６、Ｓ３０８、Ｓ３０９のうちのモード切替スイッチ６０によって設定されたモードに対応した処理を実行した後、処理はステップＳ３１０へ進む。ステップＳ３１０において、電源スイッチ７２の設定位置を判断する。電源スイッチ７２が電源オンに設定されていれば、ステップＳ３０３に処理を戻す。一方、電源スイッチ７２が電源オフに設定されていたならば、処理はステップＳ３１０からステップＳ３１１へ進み、システム制御部５０は終了処理を行う。
【００３５】
終了処理には、例えば以下の処理が含まれる。すなわち、表示部２８の表示を終了状態に変更し、レンズバリア１０２を閉じて撮像部を保護する。また、フラグや制御変数等を含むパラメータや設定値、設定モードを不揮発性メモリ５６に記録し、電源供給が不要な部分への電源を遮断する。ステップＳ３１１の終了処理が完了すると、本処理を終了し、電源をＯＦＦ状態へ移行する。
【００３６】
［静止画記録モード処理について］
図４は、静止画記録モード処理を示すフローチャートであり、前述した図３のステップＳ３０４の処理の詳細である。
この静止画記録モード処理における各処理は、システム制御部５０が不揮発性メモリ５６等に格納されたプログラムをシステムメモリ５２に展開して実行することにより実現される。尚、図４に示される静止画記録モード処理は、モード切替スイッチ６０により他のモードへの切替が行われた場合や電源スイッチ７２がＯＦＦにセットされた場合に、割り込み処理等により終了するものとする。
【００３７】
静止画記録モード処理を開始すると、ステップＳ４０１において撮影モードを確定する。撮影モードの確定は、不揮発性メモリ５６より前回の静止画記録モード終了時における撮影モードを取得してシステムメモリ５２に格納することでなされる。ここでいう撮影モードは、静止画を撮影するための撮影モードである。本実施形態のデジタルカメラ１００は以下のような撮影モードを有する。
【００３８】
第１の設定モードはオートモード（自動設定モード）である。オートモードは、カメラの各種パラメータが、計測された露出値に基づいてデジタルカメラ１００に組み込まれたプログラムにより、システム制御部５０が自動的に決定されるモードである。
第２の設定モードはマニュアルモード（手動設定モード）である。マニュアルモードは、カメラの各種パラメータをユーザが自由に変更可能なモードである。
第３はシーンモードである。シーンモードは、撮影シーンに適したシャッター速度や絞り値、ストロボ発光状態、感度設定等の組み合わせが自動で設定される。
【００３９】
尚、シーンモードには以下のようなモードが含まれる。すなわち、ポートレートモード、夜景モード、風景モード、ナイト＆スナップモード、キッズ＆ペットモード、新緑＆紅葉モード、パーティーモード、スノーモード、ビーチモード、花火モード、水族館モード、水中モード等である。
【００４０】
ステップＳ４０１において撮影モードを確定すると、続くステップＳ４０２において、撮像部２２からの画像データを表示するスルー表示を行う（画像表示制御）。スルー表示は、撮像部２２で撮像されている画像を記録媒体２００に記録することなくほぼリアルタイムの動画で表示部２８に表示するもので、これを見て撮影者は画角の確認や撮影のタイミングを計ることができる。
【００４１】
次に、ステップＳ４０３において、電源制御部８０を用いて電池等により構成される電源部３０の残容量や、記録媒体２００の有無や残容量がデジタルカメラ１００の動作に問題があるか否かを判定する。この判定の結果、問題があるならば、ステップＳ４０４に進み、表示部２８を用いて画像や音声により所定の警告表示を行い、処理をステップＳ４０１に戻す。また、ステップＳ４０３の判定の結果、電源部３０や記録媒体２００の状態に問題が無いならば、ステップＳ４０５に進む。
【００４２】
ステップＳ４０５では、ＡＦ／ＭＦ切り替えボタン、コントローラーリング７４、コントローラホイール７３のいずれかに対するユーザ操作があったか否かを判定する。この判定の結果、ＡＦ／ＭＦ切り替えボタン、コントローラーリング７４、コントローラホイール７３に操作があったと判定するとステップＳ４０６に進み、フォーカス設定処理を行う。フォーカス設定処理については、図５を用いて後述する。フォーカス設定処理を終了するとステップＳ４０５へ処理を戻す。
【００４３】
一方、ステップＳ４０５の判定の結果、ＡＦ／ＭＦ切り替えボタン、コントローラーリング７４、コントローラホイール７３のいずれにも操作がなかったと判定すると、ステップＳ４０７へ進む。ステップＳ４０７では、ユーザからのコントローラーリング７４の機能の設定操作（以下、リング機能切り替え処理）の有無を判定する。
【００４４】
この判定の結果、リング機能切り替え操作があったと判定するとステップＳ４０８へ進み、操作に応じてリング機能切り替え処理を行う。この撮影設定処理については図６を用いて後述する。リング機能切り替え処理を行うとステップＳ４０５へ処理を戻す。一方、ステップＳ４０７の判定の結果、リング機能切り替え処理が無かった場合にはステップＳ４０９へ進む。
【００４５】
ステップＳ４０９においては、スルー表示される画像信号中に人の顔が存在するか否かを検出する顔検出を行う。顔検出処理において人の顔が検出された場合、画像信号中において検出した顔の位置座標、サイズ（幅、高さ）、検出個数、信頼性係数等を顔情報としてシステムメモリ５２に記憶する。顔検出処理において顔が検出されなかった場合はシステムメモリ５２内の位置座標、サイズ（幅、高さ）、検出個数、信頼性係数等の領域に０を設定する。
【００４６】
続いて、ステップＳ４１０において、第１シャッタースイッチ信号ＳＷ１がＯＮしているか否かを判定する（撮影準備指示受付）。この判定の結果、第１シャッタースイッチ信号ＳＷ１がＯＦＦの場合は、処理はステップＳ４０５に戻る。一方、第１シャッタースイッチ信号ＳＷ１がＯＮの場合は、ステップＳ４３０に進む。
【００４７】
ステップＳ４３０では、システムメモリ５２から現在のフォーカス設定モードを取得する。次に、ステップＳ４３１に進み、ステップＳ４３０で取得したフォーカス設定モードがＭＦモードであるか否かを判定する。この判定の結果、ＭＦモードであった場合は、ステップＳ４３２に進み、そうでない場合はステップＳ４１１に進む。
【００４８】
ステップＳ４３２では、ＭＦモードでの撮影準備動作が行われる。測光処理を行って絞り値及びシャッタースピードを決定する（露出決定処理）。尚、測光処理において、必要であればフラッシュの設定も行われる。なお、ステップＳ４３２はＭＦモードでの撮影準備動作であるため、測距処理は行わず、撮影レンズ１０３に含まれるフォーカスレンズの駆動は行わない。ＭＦモードでの撮影準備動作を行うとステップＳ４１２へ進む。
【００４９】
一方、ステップＳ４１１においては、ＡＦモードでの撮影準備動作が行われる。測距処理を行って撮影レンズ１０３の焦点を被写体に合わせるとともに（オートフォーカス処理）、測光処理を行って絞り値及びシャッタースピードを決定する（露出決定処理）。尚、測光処理において、必要であればフラッシュの設定も行われる。このとき、ステップＳ４０９において顔が検出されていれば、検出した顔の範囲で測距する顔ＡＦを行うようにすることも可能である。
【００５０】
次に、ステップＳ４１２、Ｓ４１３では、第１シャッタースイッチ信号ＳＷ１と第２シャッタースイッチ信号ＳＷ２のＯＮ／ＯＦＦ状態を判定する。判定の結果、第１シャッタースイッチ信号ＳＷ１がＯＮした状態で第２シャッタースイッチ信号ＳＷ２がＯＮになると、処理はステップＳ４１２からステップＳ４１４へ進む。
【００５１】
また、第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はステップＳ４１３からステップＳ４０５へ戻る。また、第１シャッタースイッチ信号ＳＷ１がＯＮ、第２シャッタースイッチ信号ＳＷ２がＯＦＦの間は、ステップＳ４１２，Ｓ４１３の処理が繰り返される。
【００５２】
ステップＳ４１４において、表示部２８の表示状態をスルー表示から固定色表示状態（例えば黒一色の表示）に設定する。そして、ステップＳ４１５において、露光処理や現像処理を含む撮影処理を実行する。尚、露光処理では、撮像部２２、Ａ／Ｄ変換器２３を経て得られた画像データが、画像処理部２４及びメモリ制御部１５を介して、或いはＡ／Ｄ変換器２３からメモリ制御部１５を介して、メモリ３２に直接書き込まれる。また、現像処理では、システム制御部５０が、メモリ制御部１５、そして必要に応じて画像処理部２４を用いて、メモリ３２に書き込まれた画像データを読み出して各種処理を行う。
【００５３】
次に、ステップＳ４１６において、表示部２８に対し撮影処理で得られた画像データのクイックレビュー表示を行う。クイックレビュー表示とは、撮影画像の確認のために、被写体の撮影後記録媒体への記録前に、予め決められた時間（レビュー時間）だけ画像データを表示部２８に表示する処理である。
【００５４】
ステップＳ４１７において、撮影処理で得られた画像データを画像ファイルとして記録媒体２００に対して書き込む記録処理を実行する。
ステップＳ４１８において、第２シャッタースイッチ信号ＳＷ２のＯＮ／ＯＦＦ状態を判定する。第２シャッタースイッチ信号ＳＷ２がＯＮの場合は、ステップＳ４１８の判定を繰り返し、第２シャッタースイッチ信号ＳＷ２がＯＦＦになるのを待つ。この間、上記クイックレビュー表示を継続させる。すなわち、ステップＳ４１７の記録処理が終了した際に、第２シャッタースイッチ信号ＳＷ２が放されるまで表示部２８におけるクイックレビュー表示を継続させる。
【００５５】
このように構成することにより、ユーザは、シャッターボタン６１の全押し状態を継続することで、クイックレビュー表示を用いた撮影画像データの確認を入念に行うことが可能となる。ステップＳ４１８において、第２シャッタースイッチ信号ＳＷ２がＯＦＦであると判定されると、すなわちユーザがシャッターボタン６１から手を放すなどして全押し状態が解除されると、ステップＳ４１９へ進む。
【００５６】
ステップＳ４１９において、予め定められたクイックレビュー表示のレビュー時間が経過したか否かを判定する。レビュー時間が経過していなければレビュー時間が経過するのを待ち、レビュー時間が経過するとステップＳ４２０に進む。
ステップＳ４２０において、表示部２８の表示状態をクイックレビュー表示からスルー表示状態に戻す。この処理により、クイックレビュー表示によって撮影画像データを確認した後、表示部２８の表示状態は次の撮影のために撮像部２２からの画像データを逐次表示するスルー表示状態に自動的に切り替わることになる。
【００５７】
そして、ステップＳ４２１において、第１シャッタースイッチ信号ＳＷ１のＯＮ／ＯＦＦを判定する。そして、第１シャッタースイッチ信号ＳＷ１がＯＮの場合はステップＳ４１２へ、ＯＦＦの場合はステップＳ４０５へ処理を戻す。
【００５８】
すなわち、シャッターボタン６１の半押し状態が継続している（第１シャッタースイッチ信号ＳＷ１がＯＮ）場合は、次の撮影に備える（ステップＳ４１２）。一方、シャッターボタン６１が放された状態（第１シャッタースイッチ信号ＳＷ１がＯＦＦ）であったならば、一連の撮影動作を終えて撮影待機状態に戻る（ステップＳ４０５）。以上のようにして撮影が行われる。
【００５９】
なお、ステップＳ４３２では測距処理は行わず、撮影レンズ１０３に含まれるフォーカスレンズの駆動は行わないとしたが、現在のフォーカスレンズの位置近傍のごく狭い範囲でのみオートフォーカス処理をするようにしてもよい。これをセーフティＡＦと呼ぶ。この際のオートフォーカス処理で取り得るフォーカス位置（フォーカスレンズの位置）の範囲は、ＡＦモードのマクロモードで取り得るフォーカス位置の範囲（マクロ領域）と、通常モードで取り得るフォーカス位置の範囲(通常領域)よりも狭い範囲である。
【００６０】
このようにすることで、ユーザがマニュアルフォーカスで大雑把にフォーカスを合わせたい被写体を決め、オートフォーカス処理でその被写体に正確にフォーカスを合わせるといったことが可能となる。セーフティＡＦをＯＮとするかＯＦＦとするかは例えばメニュー画面から予め設定しておくことができる。セーフティＡＦがＯＮの場合は現在のフォーカスレンズの位置近傍のごく狭い範囲でのみオートフォーカス処理を行い、セーフティＡＦがＯＦＦの場合はオートフォーカス処理は全く行わない。
【００６１】
［フォーカス設定処理について］
図５は、フォーカス設定処理の手順を説明するフローチャートであり、前述した図４のステップＳ４０６で行われる処理の詳細を説明している。このフォーカス設定処理における各処理は、システム制御部５０が不揮発性メモリ５６等に格納されたプログラムをシステムメモリ５２に展開して実行することにより実現される。
【００６２】
フォーカス設定処理が開始されると、まず、ステップＳ５０１でコントローラーリング７４の操作があったか否か判定する。これは、ステップＳ４０５で真と判定されたのがコントローラーリング７４の操作によるものであったか否かの判定である。この判定の結果、コントローラーリング７４の操作があった場合は、ステップＳ５０２に処理が進む。ステップＳ５０２では、システムメモリ５２に現在のコントローラーリング７４の設定を取得し、フォーカス調整設定か否かを判定する。
【００６３】
ステップＳ５０２の判定の結果、フォーカス調整設定でない場合は、フォーカス設定処理を抜けて図４のステップＳ４０５の処理の処理に戻る。一方、フォーカス調整設定の場合は、ステップＳ５０３に処理が進む。ステップＳ５０３では、システムメモリ５２に記録されている現在のフォーカス設定モードを取得する。その後、ステップＳ５０４に進む。
【００６４】
ステップＳ５０４では、ステップＳ５０３で取得した設定がＭＦモードであるか否かを判定する。この判定の結果、ＭＦモードであった場合は、ステップＳ５１０に進み、そうでない場合はステップＳ５０５に進む。ステップＳ５０５ではコントローラーリング７４でマニュアルフォーカス操作されたことを示す操作フラグ「真」をシステムメモリ５２に記憶する。次に、ステップＳ５０６に進み、ステップＳ５０３で取得したフォーカス設定モードをシステムメモリ５２に別途に記憶するように記録制御が行われる。この場合、システムメモリ５２に記憶されるのはＡＦモードのいずれか（マクロモードか通常モード）である。
【００６５】
次に、ステップＳ５０７において、図７（ａ）に示す表示を行う。
図７（ａ）について説明する。ダイアログ７０１は左ボタンを押すことでＭＦモードを解除し、ステップＳ５０６で記憶したフォーカス設定モードに戻すことをガイダンス表示している状態を示し、ユーザに操作の手順を説明するものである。アイコン７０２は、コントローラーリング７４でフォーカス調整が可能であることを表示している。アイコン７０３はコントローラホイール７３で露出補正が可能であることを表示している。ダイアログ７０４は、フォーカス位置の調整の状況（どの位置にフォーカス位置が移動しているか）を表示している。このような表示を行うことにより、マニュアルフォーカス調整方法や所定のボタンで簡便に解除可能であることをユーザに分かりやすく表示できる。
【００６６】
次に、ステップＳ５０８でフォーカス設定モードをＭＦモードとしてシステムメモリ５２に記憶する。
次に、ステップＳ５１０では、コントローラーリング７４の回転量からフォーカス位置の移動量を算出する。
次に、ステップＳ５１１では、ステップＳ５１０で算出されたフォーカス位置の移動量の分だけフォーカス位置を移動する。すなわち、ステップＳ５１０で算出されたフォーカス位置の移動量の分だけフォーカスレンズを駆動するよう制御する。
【００６７】
一方、ステップＳ５０１の判定の結果、コントローラーリング７４の操作でない場合、ステップＳ５１２に進み、ＡＦ／ＭＦ切り替えボタンが操作されたか否かを判定する。これは、ステップＳ４０５で真と判定されたのがＡＦ／ＭＦ切り替えボタンの操作によるものであったか否かの判定である。この判定の結果、ＡＦ／ＭＦ切り替えボタンが操作されていた場合は、ステップＳ５１３に進む。また、ＡＦ／ＭＦ切り替えボタンが操作されていない場合は、ステップＳ４０５で真と判定されたのがコントローラホイール７３の操作によるものであることを示しており、ステップＳ５２４に進む。
【００６８】
ステップＳ５１３は、ステップＳ５０５でシステムメモリ５２に記憶したコントローラーリング７４の操作フラグを読みだして真偽を判定する。この判定の結果、コントローラーリング７４の操作フラグが真の場合は、ステップＳ５２２でフラグをクリアしシステムメモリ５２に記憶する。続いてステップＳ５２３で、ステップＳ５０６で記憶したフォーカス設定モードを読み出しシステムメモリ５２に記憶し、図７（ｃ）の待機画面に遷移する。
【００６９】
ここまで説明した処理により、ＡＦモードの際に、コントローラーリング７４の１回の操作によってフォーカス設定モードをＭＦモードに簡単に変更し、かつ、フォーカス位置のマニュアル調整を行うことができる。また、その後ＡＦ/ＭＦボタンを押すだけで元のＡＦモードに戻すことが可能である。
【００７０】
具体例で説明すると、ＡＦモードのマクロモードで花などを撮影しようとしている時に手動でフォーカスの微調整を行いたいと思った場合は、コントローラーリング７４を回すことでマニュアルフォーカス操作を行うことができる。そして、その時点でフォーカス設定モードがＭＦモードに変更されるので、そのまま第１シャッタースイッチ信号ＳＷ１を押下してもオートフォーカス処理は行われず、マニュアルフォーカスで調整したフォーカス設定位置で撮影を行うことができる。そして、ＡＦ/ＭＦボタンを押すまではＭＦモードで何度でも撮影を行える。
【００７１】
さらに、コントローラーリング７４を回してマニュアルフォーカスを行ったが、思い直して元のマクロモードに戻したい場合は、ＡＦ/ＭＦボタンを１度押すだけで元のマクロモードに戻すことができる。更に、前述した例で、例えばＡＦモードのマクロモードで第１シャッタースイッチ信号ＳＷ１を一度押下してオートフォーカス処理を行ったもののフォーカス位置の調整が意図するものではなかったとする。その場合は、その時点でコントローラーリング７４を回せば、マクロモードでオートフォーカス処理を行った結果のフォーカス位置を起点としてマニュアルでフォーカス位置の微調整が行えるため、特に使い勝手がよい。
【００７２】
図５の説明に戻り、ステップＳ５１３の判定の結果、コントローラーリング７４操作フラグが偽の場合、ステップＳ５１４に進む。ステップＳ５１４では、システムメモリ５２に記録されている現在のフォーカス設定モードを取得する。続いて、ステップＳ５１６でフォーカス設定モードの選択候補を表示する。具体的なフォーカス設定モードの選択候補の表示例を図７（ｂ）に示す。
【００７３】
図７（ｂ）に示すように、ダイアログ７０５には、設定可能なフォーカス設定モードを表す表示アイテム（以下、アイコン）が複数表示（一覧表示）される。ダイアログ７０５に一覧されたアイコンから任意のアイコンを選択することにより、アイコンが表しているフォーカス設定モードに設定することができる。アイコン７０８は、マクロモードを表わすアイコンである。アイコン７０９は、通常モードを表わすアイコンである。アイコン７１０は、ＭＦモードを表わすアイコンである。
【００７４】
次に、ステップＳ５１７では、ＭＦモードが選択されたか否か判定する。ＭＦモードが選択された場合はステップＳ５１８に進み、コントローラーリング７４の設定がフォーカス調整の場合は、図７（ａ）に示す表示を行う。コントローラーリング７４にフォーカス調整以外の設定がされている場合は、図７（d）に示す表示を行う。
【００７５】
図７（d）の表示例について説明する。アイコン７１１は、コントローラホイール７３でフォーカス調整が可能なことを表示している。ダイアログ７１２は、ダイアログ７０４と同様である。アイコン７１３は、ＩＳＯ感度がコントローラーリング７４で選択可能なことを表示している。
【００７６】
次に、ステップＳ５１９で、フォーカス設定モードをＭＦモードとしてシステムメモリ５２に記憶する。
次に、ステップＳ５２０ではコントローラホイール７３が操作されたか否かを判定する。この判定の結果、コントローラホイール７３が操作されなければ処理を抜けて図４のステップＳ４０５の処理に戻る。また、コントローラホイール７３が操作されるとステップＳ５１０に進み、コントローラホイール７３の回転量からフォーカス位置の移動量を算出する。次にステップＳ５１１では、ステップＳ５１０で計算されたフォーカス位置の移動量の分だけフォーカスレンズを駆動する。
【００７７】
一方、ステップＳ５２４では、システムメモリ５２に記録されている現在のフォーカス設定モードを取得する。続いて、ステップＳ５２５ではステップＳ５２４で取得した設定がＭＦモードであるか否かを判定する。この判定の結果、ＭＦモードであった場合は、ステップＳ５１０に進み、そうでない場合は処理を抜けて図４のステップＳ４０５の処理に戻る。ステップＳ５１０では、ステップＳ４０５で真と判定されたのがコントローラホイール７３の操作に応じてフォーカス位置の移動量を算出する。次にステップＳ５１１では、ステップＳ５１０で計算されたフォーカス位置の移動量の分だけフォーカスレンズを駆動する。
【００７８】
ステップＳ５１７で説明したＭＦモードの選択は、従来からあるＭＦモードの選択手段である。このように、コントローラーリング７４の操作によるダイレクトにマニュアルフォーカスを行う方法（ステップＳ５０３〜Ｓ５１１）。または、従来のようにフォーカス設定モードをＭＦモードに設定してからマニュアルフォーカスを行う方法（ステップＳ５１８〜Ｓ５２０→Ｓ５１０→Ｓ５１１）の双方をユーザの撮影用途によって使いわけることができる。
【００７９】
たとえば、ＩＳＯ感度を頻繁に変えたいシーンでは、コントローラーリング７４にＩＳＯ感度を割り当てれば、コントローラーリング７４の操作ではＭＦモードには移行せず、ＩＳＯ感度の変更が行える。そして、フォーカス設定モードをＭＦモードにしたい場合にはステップＳ５１８〜Ｓ５２０→Ｓ５１０→Ｓ５１１のように、フォーカス設定モードをＭＦモードに設定してからコントローラホイール７３でマニュアルフォーカスを行う。
【００８０】
なお、マニュアルフォーカスの操作はコントローラーリング７４とコントローラホイール７３との両方で行える場合があるものとした。しかし、フォーカス位置の移動量はコントローラーリング７４による操作とコントローラホイール７３による操作とで異なる移動量となるようにしてもよい。回転操作部材の形状に応じて、移動量を変えることにより、ユーザに最適な操作感を提供することが可能となる。
【００８１】
前述したＳ５０５により撮影条件を設定する第１の撮影条件設定手段、具体的には、フォーカス設定を第１の設定記憶としてシステムメモリ５２に記憶する第１の設定記憶手段が構成される。また、前述したＳ５０１、Ｓ５０２及びＳ５１２により、第１の撮影条件設定手段により設定されたフォーカス設定値を変更するフォーカス設定値変更手段が構成される。また、Ｓ５０６により、第１の設定記憶手段（システムメモリ５２）に設定値を記憶する第２の撮影条件設定手段、具体的には、フォーカス設定が変更される前の設定（現在のフォーカス設定）を第２の設定記憶として記憶する第２の設定記憶手段が構成される。また、前述したＳ５０８により、回転操作手段の操作に応じてフォーカス設定値を変更する第１の設定値変更手段、及びフォーカス設定値変更手段が実行されたことを第３の設定記憶としてシステムメモリ５２に記憶する第３の設定記憶手段が構成される。
【００８２】
［リング機能切り替え処理について］
図６は、リング機能切り替え処理のフローチャートであり、前述した図４のステップＳ４０８処理の詳細である。このリング機能切り替え処理における各処理は、システム制御部５０が不揮発性メモリ５６等に格納されたプログラムをシステムメモリ５２に展開して実行することにより実現される。
【００８３】
リング機能切り替え処理を開始すると、まず、ステップＳ６０１でシステムメモリ５２に現在のコントローラーリング７４の設定を取得する。
次に、ステップＳ６０２では、ステップＳ６０１で取得したコントローラーリング７４の設定の設定内容に基づいて、コントローラーリング７４の設定用のダイアログ表示を表示部２８に表示する（アイテム表示制御）。
【００８４】
図７（ｅ）に、このときコントローラーリング７４の設定用のダイアログ表示の表示例を示す。ダイアログ７１４には、設定可能なコントローラーリング７４の種別を表す表示アイテム（以下、アイコン）が複数表示（一覧表示）される。ダイアログ７１４に一覧されたアイコンから任意のアイコンを選択することにより、アイコンが表しているコントローラーリング７４機能の種別に設定することができる。コントローラーリング７４機能の種別には以下の種別がある。
【００８５】
標準：Ｍモード・Ａｖモードでは、絞り値を変更可能、Ｔｖモードではシャッタースピードを変更可能、ＰモードではＩＳＯ感度を変更可能。アイコン７１７が標準を表わすアイコンである。標準設定時は、ガイダンス表示７１６に撮影モードによる設定の違いを説明する。たとえば、Ｐモードにおいては、ＩＳＯ感度設定が可能な旨を説明する。
ＩＳＯ感度：コントローラーリング７４でＩＳＯ感度変更を可能とする。アイコン７１８がＩＳＯ感度を表すアイコンである。
【００８６】
露出補正：Ｍモードでは、シャッタースピードを変更可能、Ａｖモード、Ｔｖモード、Ｐモードでは、露出補正を可能とする。アイコン７１９が露出補正を表すアイコンである。
フォーカス調整：コントローラーリング７４でマニュアルでのフォーカス位置の調整を可能とする。アイコン７２０がフォーカス調整を表わすアイコンである。
ＷＢ補正：コントローラーリング７４でＷＢ補正変更を可能とする。アイコン７２１がＷＢ補正を表すアイコンである。
ステップズーム：コントローラーリング７４で段階的なズーム変更を可能とする。アイコン７２２がステップズームを表わすアイコンである。
【００８７】
図７（e）は、フォーカス調整に設定されている例である。そのため、ダイアログ７１４に表示されているアイコンのうち、フォーカス調整を表すアイコン７２０が強調表示され、カーソルがあたって選択状態となっていることを示している。このカーソルは操作部７０に含まれる上ボタンあるいは下ボタン、リング機能切り替えボタン、またはコントローラホイール７３への操作によって移動することができ、ユーザ任意のアイコンを選択することができる。
【００８８】
ダイアログ７１５は、ダイアログ７１４で選択されているアイコンが表すコントローラーリング７４の種別がどのようなものなのかを説明するガイダンス表示である。このダイアログ７１５の表示によって現在設定されているコントローラーリング７４機能の種別を撮影者に分かりやすく示している。
【００８９】
図６のステップＳ６０２で、図７（e）のような表示を行うと、続くステップＳ６０３では、コントローラーリング７４の設定用のタイマーを開始する。これは、所定時間特定の操作もなければ、コントローラーリング７４の設定処理を自動的に終了するためのタイマーである。これにより、特別な操作をしなくてもコントローラーリング７４に係る設定を確定し、コントローラーリング７４の設定用の表示を終了して元の表示に戻ることができるので、操作手順を減らすことができる。
【００９０】
ステップＳ６０４では、ダイアログ７１４で、現在選択されているアイコンの一つ前のアイコンを選択する操作があったか否か（カーソルを一つ前のアイコンに移動する操作があったか否か）を判定する（選択受付）。この操作は、操作部７０に含まれる上ボタンの押下、左ボタン押下、コントローラホイール７３を反時計回りに回す操作のいずれかによって行われる。
【００９１】
次に、ステップＳ６０４において、１つ前のアイコンを選択する操作があったと判定するとステップＳ６１０へ進み、ステップＳ６０３で開始したコントローラーリング７４の設定用のタイマーをキャンセルする（停止して計時をクリアする）。そして、ステップＳ６１１において、ダイアログ７１４上で操作に応じたアイコンを選択状態とし、選択されたアイコンが表すコントローラーリング７４の種別に設定を更新する。
【００９２】
設定の更新では、実際にデジタルカメラ１００の設定を選択されたアイコンが表すコントローラーリング７４の種別に設定し、システムメモリ５２に更新された設定を記憶する。また、設定に合わせてダイアログ７１４、７１５の表示を更新する。設定を更新するとステップＳ６０３に処理を戻す。その後ステップＳ６０３で再びコントローラーリング７４の設定用のタイマーを開始する。一方、ステップＳ６０４で１つ前のアイコンを選択する操作がなかったと判定するとステップＳ６０５へ進む。
【００９３】
ステップＳ６０５では、ダイアログ７１４で、現在選択されているアイコンの一つ次のアイコンを選択する操作があったか否か（カーソルを一つ次のアイコンに移動する操作があったか否か）を判定する（選択受付）。この操作は、操作部７０に含まれる下ボタンの押下、右ボタン押下、リング機能切り替えボタン、コントローラホイール７３を時計回りに回す操作のいずれかによって行われる。ステップＳ６０５の判定の結果、１つ次のアイコンを選択する操作があったと判定するとステップＳ６１０、ステップＳ６１１へと進む。また、操作がなかったと判定するとステップＳ６０６に進む。
【００９４】
ステップＳ６０６では、第１シャッタースイッチ信号ＳＷ１がＯＮになったか否か、すなわちシャッターボタン６１に半押し操作があったか否かを判定する（撮影準備指示受付）。第１シャッタースイッチ信号ＳＷ１がＯＮであればステップＳ６０９へ進み、ＯＦＦであればステップＳ６０７へ進む。なお、ステップＳ６０６で第１シャッタースイッチ信号ＳＷ１がＯＮであればステップＳ６０９でコントローラーリング７４の設定用の表示を終了した後、そのまま図４のステップＳ４１０で真の判定となり、ステップＳ４１１の撮影準備動作が行われる。
【００９５】
ステップＳ６０７では、操作部７０に含まれるＳＥＴボタンが押下されたか否かを判定する（第１の終了受付）。この判定の結果、ＳＥＴボタンが押下された（第１の終了操作があった）と判定するとステップＳ６０９へ進み、押下されていないと判定するとステップＳ６０８へ進む。
【００９６】
ステップＳ６０８では、ステップＳ６０３で開始したコントローラーリング７４の設定用のタイマーが完了したか否かを判定する。この判定はすなわち、ステップＳ６０３でタイマーを開始してから所定時間が経過してもコントローラーリング７４の設定に係る特定の操作がなかったか否かの判定である。タイマーが完了していなければステップＳ６０４へ戻り処理を繰り返す。タイマーが完了したと判定するとステップＳ６０９へ進む。
【００９７】
ステップＳ６０９では、コントローラーリング７４の設定用の表示を終了する。具体的には、ダイアログ７１４、７１５の表示を消し、コントローラーリング７４の設定処理に入る前の表示状態（図７（ｃ））に戻す。ただし、この際、コントローラーリング７４の設定処理に入る前に比べて、設定されたコントローラーリング７４の種別に変更があった場合には、スルー表示に重畳して表示される現在の撮影設定を表すアイコン等は更新される。ステップＳ６０９の処理を終えるとコントローラーリング７４の設定処理を終了する。
【００９８】
以上説明したように、本実施形態によれば、ＡＦモード時においても、所定の操作部材の一度の操作によりＭＦモードへ簡便に変更し、かつフォーカス位置の調整が行える。また、所定のボタン操作により元のＡＦモードに戻すことが可能である。また、本実施形態によれば、通常の撮影はＡＦモードを使用し、シーンに応じてマニュアルでフォーカス位置の調整を即座に行い、その後元のＡＦモードにしたいユーザのニーズに対応できる。
【００９９】
なお、本実施形態では撮影条件の設定として、ＭＦモードへの設定について説明したが、本発明は他の撮影条件の設定についても適用可能である。例えば、オートホワイトバランスの設定とマニュアルホワイトバランスの設定の切り替えにも適用可能である。また、所定の操作部材操作が行われたら、マニュアルホワイトバランスに即座に変更し、操作の制御量に応じてケルビン設定の変更を行うことや、ＷＢ補正を行うことが可能である。所定のボタン操作でオートホワイトバランスに戻ることでシーン変更に柔軟な対応が可能となる。
【０１００】
また、ＩＳＯ感度においても、操作の制御量に応じてＩＳＯ感度変更を行い、所定ボタン操作でＡＵＴＯ制御に戻ることも可能である。同様に、設定方法の変更と微調整、値変更を行う設定において本発明の操作方法が有効である。また、表示形態についても、設定に係る表示（設定画面）をスルー表示に重畳させる表示方法で説明したが、スルー表示中の表示であればよく、スルー表示を縮小して表示し、設定画面とスルー表示を分離して表示する方法にも適用可能である。また、設定画面を第１の表示装置に表示し、スルー表示を第２の表示装置に表示する方法にも適用可能である。
【０１０１】
以上、デジタルカメラにより本発明を説明したが、本発明の適用はこれに限られるものではなく、デジタルカメラと接続し、デジタルカメラをリモートコントロールするパーソナルコンピュータ等にも適用可能である。パーソナルコンピュータのディスプレイにはデジタルカメラが撮像した画像が随時送信され、スルー表示と同等のリアルタイム画像の表示、いわゆるライブビュー表示が可能である。このライブビュー表示に重畳して前述のフォーカス設定用表示を行うことができ、パーソナルコンピュータへの操作にもとづいて前述の各種操作を行い、接続されているデジタルカメラの設定を行うことができる。また、撮像手段を有する携帯電話や携帯端末、電子機器等、画像が撮像可能な装置であれば適用が可能である。
【０１０２】
（その他の実施例）
また、本発明は、以下の処理を実行することによっても実現される。すなわち、前述した実施形態の機能を実現するソフトウェア（コンピュータプログラム）を、ネットワーク又は各種記憶媒体を介してシステム或いは装置に供給する。そして、そのシステム或いは装置のコンピュータ（またはＣＰＵやＭＰＵ等）がプログラムを読み出して実行する処理である。
【符号の説明】
【０１０３】
２２  撮像部、２８  表示部、３２  メモリ、５０  システム制御部、５２  システムメモリ、７０  操作部、１００  デジタルカメラ
【図１】
0005582743.tif 000002
【図２】
0005582743.tif 000003
【図３】
0005582743.tif 000004
【図４】
0005582743.tif 000005
【図５】
0005582743.tif 000006
【図６】
0005582743.tif 000007
【図７】
0005582743.tif 000008